(57)【要約】【課題】男性小用時、洋式便器本体（５）リム部に付着した飛沫を、簡単に吸い取るための吸水具を提供する。【解決手段】枠（１）の片面には、着脱自在な吸水紙シート（２）を装着する。一方の面には弾力性スポンジ（３）を設け、洋式便器の便座（４）裏面に固定して用いることを特徴とする。【選択図】  図３
2004290632.tif 000002
【特許請求の範囲】
【請求項１】
枠（１）の片面に着脱自在な吸水シート（２）を装着し、一方の面に弾力性スポンジ（３）を設けた、洋式便器の便座（４）裏面に固定して使用する吸水具。
【発明の詳細な説明】
【０００１】
【発明の属する技術分野】
この発明は、男性小用時に、洋式便器本体（５）リム部に付着した飛沫を吸い取るための吸水具に関するものである。
【０００２】
【従来の技術】
従来、男性小用時に、洋式便器本体（５）リム部に付着した飛沫は、本人が拭って始末するか、あるいは、清掃時まで放置されていた。即ち、当マナーに対する人々の意識は低く、そのため道具は普及せず、また、特許文献にも本発明に関するものは非常に少ない。唯一、本発明に近いと思われる技術として「便器の汚れ防止カバー」という考案がある。これは洋式便器本体リム部を水溶性の紙製カバーで覆い、飛沫を吸収し、リム部を汚さないようにするものであるが、本発明とは解決の手段、実施の形態が全く異なるものである。（例えば特許文献１参照）。
【０００３】
【特許文献１】
実開平０７−３９６９７号
【０００４】
【発明が解決しようとする課題】
これには、次のような欠点があった。
（イ）飛沫が付着した場合には、本人がその都度拭う必要があり、煩わしく、また非衛生的であった。
（ロ）そのまま放置された場合には、次に使用する人が不快であることは言うまでもなく、時間の経過と共に悪臭を放ち、乾燥して斑点となって残るので、清掃の際の負担になっていた。
本発明はこれらの欠点を解決するため成されたものである。
【０００５】
【課題を解決するための手段】
枠（１）の片面に着脱自在な吸水シート（２）を装着する。一方の面には、弾力性スポンジ（３）を設け、便座（４）裏面に固定する。
本発明は以上の構成よりなる洋式便器用飛沫吸水具である。
【０００６】
【発明の実施の形態】
以下、本発明の形態について説明する。（イ）〜（ト）は本発明の第１の実施形態を示し、（チ）〜（レ）は本発明の第２〜第１１の実施形態を示すものである。
（イ）図１は、本発明の第１の実施形態を示すもので、馬蹄形の枠（１）の片面に、枠と同一寸法に成形した吸水シート（２）（図の背面側となる）を両面テープ（６）で装着する。枠の寸法は便座（４）の寸法に等しいか、それ以下にして、便座からはみ出さないようにする。枠の最小限の寸法は、洋式便器本体（５）のリム部全体を覆う大きさである。便座は洋式便器本体の形式および便座自身の機能によって、その寸法・形状が異なる。したがって、枠の寸法は、どの便座にも対応できる数値を狙って定めるが、もし対応できない場合は、寸法の違う枠を用意する。
（ロ）馬蹄形の枠（１）は吸水シート（２）を剥離する際に曲げ応力を、着座時に圧縮応力を受けるので、それらの応力に耐え得る強度が必要である。しかも軽いほど良い。材質としては、厚さ１〜２ミリメートルの塩ビ板またはアクリル板、厚さ５ミリメートルほどの発泡スチロールボード、厚さ２ミリメートルほどのベニヤ板、厚さ３ミリメートルほどの厚紙等が適当である。尚、厚さ５ミリメートル以下なら、着座時に何の違和感もない。
（ハ）図２は、図１の底面図であるが、吸水シート（２）は吸水紙（７）に台紙（８）を貼り合わせて補強したもので、装着したときに、垂れ下がらない程度の強度を持たせ、且つ着脱時の取り扱いを容易にしている。
（ニ）吸水紙（７）は１枚から数枚重ね合わせたものとし、小水の飛沫を確実に吸水し、且つ容易に溶解しないものとする。重ね合わせる場合には、裁断面周縁で糊付けし、吸水面積をできるだけ広くとる。
（ホ）両面テープ（６）の数および幅は、吸水シート（２）を枠（１）に確実に粘着させ、且つ垂れ下がらないことを旨として定める。しかし、容易に剥離できることが肝要であり、枠の材質との関連で、粘着力の弱い両面テープの使用も考慮する。両面テープの数はひとつの枠に対して４〜８本、幅は５〜１０ミリメートルが適当である。
（ヘ）馬蹄形の枠（１）の一方の面には、弾力性スポンジ（３）を固着する。その固着位置は、便座（４）裏面に突起している４個の緩衝ゴム（９）との接触を避けて定める（図３の固着状態参照）。弾力性スポンジは圧縮力が十分得られる寸法とし、吸水シート（２）の交換時、剥がす力で外れることのないよう確実に枠に固定する。弾力性スポンジの数は、緩衝ゴムの配置の関係から４個が妥当である。またその高さは、緩衝ゴムのそれよりも５〜１０ミリメートル高くすると、吸水時の密着効果が良好である。尚、弾力性スポンジの代わりに弾力のある軟質ゴムを使用してもよい。
（ト）馬蹄形の枠（１）に固着した弾力性スポンジ（３）を便座（４）裏面に固定して、使用可能状態になる（図３および図４参照）。
（チ）図５は、本発明の第２の実施形態を示すもので、吸水シート（２）に係わるものである。吸水シートは必ずしも枠（１）と同一寸法でなくてよい。即ち、洋式便器本体（５）のリム部全体を覆うことができればよい。通常、リム部の幅は便座（４）のそれよりも狭い。吸水シートの幅をリム部のそれに合わせて狭くすれば、材料の節約になる。尚、リム部の寸法は洋式便器本体の形式によって異なる。大別して２種類なので、２種類の吸水シートを用意すれば大抵の洋式便器に対応できる。
（リ）図６は、本発明の第３の実施形態を示すもので、吸水シート（２）に係わるものである。吸水シートの台紙（８）側湾曲部中央（図上の天頂部）に折り目を入れ、吸水紙（７）側（図において背面側）に縦軸対称に２ツに折り畳めるようにする。こうすれば、輸送中に吸水紙を保護し、また、収納容器（１３）の容積を減らし、輸送コストを削減できる。
（ヌ）図７を参照しつつ、本発明の第４の実施形態を説明する。両面テープ（６）に係わるものである。吸水シート（２）を枠（１）に装着する際、作業を容易にするために、両面テープの端部に装着用タグ（１０）を設けるものである。即ち、台紙（８）側面に両面テープを粘着させる際、剥離テープを付けたまま、台紙の外縁あるいは内縁から１０ミリメートルほど伸長させた位置で切断する。伸長した部分の糊を除去し、これをタグとする。タグを摘んで引けば、容易に糊面が露出し、装着状態になる。
（ル）次に図８を参照しつつ、本発明の第５の実施形態を説明する。両面テープ（６）に係わるもので、上記第４の実施形態に関連している。両面テープを吸水シート（２）の台紙（８）側面の幅中心線に沿って粘着すれば、枠（１）に装着したとき、垂れ下がりを少なくできる。しかも、吸水シートを剥離する際、上下方向に抵抗が小さく都合がよい。両面テープは湾曲できないので切断して使う。数は４本程度あれば十分で、幅は５〜１０ミリメートルが適当である。尚、剥離テープの端部に、糊を除去した部分を設け、これを装着用タグ（１０）として使用する。
（オ）図９は、本発明の第６の実施形態を示すもので、剥離用タグ（１１）に係わるものである。吸水シート（２）を枠（１）から剥がす際、作業を容易にするために、剥離用タグを設けるものである。即ち、吸水シート底部の台紙（８）側面に、両袖の全幅で長さ２０ミリメートル程度の紙片を糊付けし、これをタグとする。タグを摘んで正面上方に引けば容易に剥がすことができる。
（ワ）図１０は、本発明の第７の実施形態を示す。この実施例は剥離用タグ（１１）に係わるもので、上記第６の実施形態に関連している。幅５０ミリメートル、長さ２０ミリメートルほどの紙片を、吸水シート（２）の台紙（８）側面の湾曲部先端付近に糊付けし、これを剥離用タグとする。タグを摘んで正面下方に引けば容易に剥がすことができる。本タグには手が届き易く、剥離作業を効率的にする。
（カ）図１１は、本発明の第８の実施形態を示す。枠（１）に係わるものである。枠の湾曲部先端付近に突起（１２）を設ける。この突起を摘んで便座（４）の上げ下ろしを行えば、便座に直接触れることなく、衛生的である。
（ヨ）さらに図１２は、本発明の第９の実施形態を示すもので、弾力性スポンジ（３）に係わるものである。便座（４）の裏側は、その形状が凹面状のものがある。その場合、弾力性スポンジの取り付け面が平板状では、正しく固着しない。便座の裏側形状に合わせ、取り付け面を凸面状にしたものを用意して、確実に固着する。
（タ）そして図１３は、本発明の第１０の実施形態を示すもので、収納容器（１３）に係わるものである。吸水シート（２）が常時トイレ内にあれば、交換に際し便利である。そのためには、収納容器ごとトイレの壁にフック（１４）で吊り下げ、何時でも取り出せるようにすればよい。収納容器は直方体とし、壁に吊り下げた状態で、幅（左右）約１５０ミリメートル、高さ（上下）約４２０ミリメートル、そして長さ（奥行き）４０〜５０ミリメートルの寸法であれば、図６で示した形状の吸水シートを、約１０枚格納できる。収納容器の裏板（１５）（図の壁に接する側）の上方一辺を、天板（１６）を越えて２０〜３０ミリメートル突き出す。これを吊り下げ用タグ（１７）とする。このタグの幅方向中央にフック用孔（１８）を設け、フックをこの孔に引っ掛ける。また、取り出し蓋（１９）を、正面から見て左右いずれかの側面に設ける。即ち、裏板の左右一辺のいずれかをヒンジとし、ドア式に開閉する構造とする。こうすれば、正面開閉と違って、取り出し蓋を開けたときに、吸水シートが倒れ落ちることがなく、しかも、取り出し易い。収納容器内には、格納する吸水シートの数に合わせて、輪ゴム（２０）を用意し、セロテープ等で留めておく。尚、収納容器の材質は、薄いボール紙等でよい。
（レ）最後に図１４は、本発明の第１１の実施形態を示す。この実施例は吸水シート（２）に係わるもので、上記第１０の実施形態に関連している。使用済みの吸水シートを始末する際、台紙（８）側を表とし、吸水紙（７）側へ縦軸対称に２ツに折り畳む。２ツに折り畳んだものを、さらに、横軸対称に２ツに折れば、合計４ツに折り畳むことになり、容積が小さくなり、扱いが容易である。しかも、吸水紙面が内側へ畳み込まれるので、衛生的である。４ツに折り畳まれた状態の吸水シートを、図１３で示した収納容器（１３）内に用意しておいた輪ゴム（２０）で留め、廃棄する。
本発明は以上の構成より成っている。
本発明を使用するときは、小用後便座を下し、軽く押し付けて、吸水シート（２）を洋式便器本体（５）リム部に密着させ、飛沫を吸い取る。このとき、弾力性スポンジ（３）の圧縮作用により、吸水シートが強く密着し、吸水力を発揮する。吸水シートには滅菌処理を施すと共に芳香剤を含浸させて、吸水面を清浄に保ち且つ臭気を緩和させる。また、本発明の使用を促すため、使用方法を吸水面に印刷するなどして、啓蒙する。尚、吸水シートの汚れが著しくなった時点で交換する。
【０００７】
【発明の効果】
本発明を使用することによって、男性小用設備のない公共施設、交通機関、レストラン、そして一般家庭等での洋式便器の清潔性が向上する。また、家庭の主婦、トイレ掃除人の清掃作業の負担が軽減できる。
【図面の簡単な説明】
【図１】本発明の正面図である。
【図２】本発明の底面図である。
【図３】本発明の取り付け状態を示す正面図である。
【図４】本発明の取り付け状態を示す側面図である。
【図５】本発明の第２の実施形態を示す正面図である。
【図６】本発明の第３の実施形態を示す正面図である。
【図７】本発明の第４の実施形態を示す正面図である。
【図８】本発明の第５の実施形態を示す正面図である。
【図９】本発明の第６の実施形態を示す正面図である。
【図１０】本発明の第７の実施形態を示す正面図である。
【図１１】本発明の第８の実施形態を示す正面図である。
【図１２】本発明の第９の実施形態を示す底面図である。
【図１３】本発明の第１０の実施形態を示す斜視図である。
【図１４】本発明の第１１の実施形態を示す正面図である。
【符号の説明】
１  枠
２  吸水シート
３  弾力性スポンジ
４  便座
５  洋式便器本体
６  両面テープ
７  吸水紙
８  台紙
９  緩衝ゴム
１０  装着用タグ
１１  剥離用タグ
１２  突起
１３  収納容器
１４  フック
１５  裏板
１６  天板
１７  吊り下げ用タグ
１８  フック用孔
１９  取り出し蓋
２０  輪ゴム
【図１】
2004290632.tif 000003
【図２】
2004290632.tif 000004
【図３】
2004290632.tif 000005
【図４】
2004290632.tif 000006
【図５】
2004290632.tif 000007
【図６】
2004290632.tif 000008
【図７】
2004290632.tif 000009
【図８】
2004290632.tif 000010
【図９】
2004290632.tif 000011
【図１０】
2004290632.tif 000012
【図１１】
2004290632.tif 000013
【図１２】
2004290632.tif 000014
【図１３】
2004290632.tif 000015
【図１４】
2004290632.tif 000016